(57)【特許請求の範囲】
【請求項１】
投光装置と、対物レンズと、鏡筒と、これら全てを保持するホルダと、直線的に上下動する焦準移動部を備えた焦準本体と、前記焦準移動部に形成され前記ホルダを固定するための取付け部と、
を備え、
前記ホルダは、前記投光装置を支持する第１の支持部を観察光軸の軸上に備えた第１のホルダ及び前記投光装置を支持する第２の支持部を前記観察光軸の軸外に備えた第２のホルダの一方を選択的に前記取付け部に取付け可能とし、
かつ前記ホルダと前記焦準本体の間に弾性部材を備え、
前記弾性部材は、前記ホルダに加わる荷重に応じて選択的に着脱可能とした、
ことを特徴とする顕微鏡焦準装置。
【請求項２】
前記ホルダと前記焦準移動部は、各々が取付け面を有し、前記各取付け面に対してそれぞれ垂直な各壁面同士による当て付けにより位置決めされ、組付けられることを特徴とする請求項１に記載の顕微鏡焦準装置。
【請求項３】
前記焦準本体は、ガイド部と焦準ハンドル本体とに分離され、前記ガイド部を選択可能としたことを特徴とする請求項１に記載の顕微鏡焦準装置。
【請求項４】
前記ガイド部と前記焦準ハンドル本体との間に中間ギヤ部を着脱可能に設けたことを特徴とする請求項３に記載の顕微鏡焦準装置。
【請求項５】
投光装置と、対物レンズと、鏡筒と、これら全てを保持するホルダと、直線的に上下動する焦準移動部を備えた焦準本体と、前記焦準移動部に形成され前記ホルダを固定するための取付け部と、
を備え、
前記ホルダは、前記投光装置を支持する第１の支持部を観察光軸の軸上に備えた第１のホルダ及び前記投光装置を支持する第２の支持部を前記観察光軸の軸外に備えた第２のホルダの一方を選択的に前記取付け部に取付け可能とし、
前記焦準本体は、ガイド部と焦準ハンドル本体に分離され、前記ガイド部を選択可能とした、
ことを特徴とする顕微鏡焦準装置。
【請求項６】
前記ホルダと前記焦準移動部とは、各々が取付け面を有し、前記各取付け面に対してそれぞれ垂直な各壁面同士による当て付けにより位置決めされ、組付けられることを特徴とする請求項５に記載の顕微鏡焦準装置。
【請求項７】
前記ホルダと前記焦準本体の間に弾性部材を備え、
前記弾性部材は、前記ホルダに加わる荷重に応じて選択的に着脱可能とした、
ことを特徴とする請求項５に記載の顕微鏡焦準装置。
【請求項８】
前記ガイド部と前記焦準ハンドル本体の間に中間ギヤ部を着脱可能に設けたことを特徴とする請求項５に記載の顕微鏡焦準装置。
【発明の詳細な説明】
【０００１】
【発明の属する技術分野】
本発明は、標本を照明する投光装置を備えた顕微鏡を上下動させ、標本に焦点を合わせるための顕微鏡焦準装置に関する。
【０００２】
【従来の技術】
従来例として、ＵＳＰ４，７２９，６４６に顕微鏡焦準装置が開示されている。この装置は、開口部に設けられた止め具によって顕微鏡を保持する直線的に移動可能な顕微鏡ホルダと、固定ネジで前記ホルダを支持し、直線的に移動自在なスライド部材と、前記スライド部材を保持するコラムを有する焦準本体とからなる顕微鏡支持用モジュール式装置である。この装置において、構成される主要部品は押出加工品から形成され、前記コラムに対して付属ユニットを安価に装着できるものである。
【０００３】
また、ＵＳＰ４，５６５，４２７に開示されている装置は、焦準用の伝動装置とステージホルダとの間に配置された付加的な伝動装置を用いて、顕微鏡を予め決められた位置に迅速に調整するためのものである。この伝動装置は、焦準ハンドルに対して別に設けられた補助ハンドルにより、ステージホルダ内に配置された偏心体を回転させ、所定の高さだけステージが上昇・下降する仕組みをなしている。
【０００４】
【発明が解決しようとする課題】
製造工場等における装置に顕微鏡を組込んで使用する場合、ＵＳＰ４，７２９，６４６に示されるようなモジュール式の焦準装置では、顕微鏡ホルダが開口型であるため、取付ける顕微鏡の形状がその開口形状に制限される。
【０００５】
標本を照明する投光装置を備えた顕微鏡は、一般的に標本を搭載するステージと標本に焦点を合わせる焦準機構とを有する顕微鏡フレームに取付ける仕様になっているため、上記顕微鏡ホルダのような開口部に取付けられる形状をなしていない。例えば、比較的軽い投光装置は丸アリで固定する方式を採用し、重い投光装置は丸アリ方式では剛性が不十分であるため、ボルト固定方式等を採用している。
【０００６】
また、顕微鏡の重さが大きく異なり、焦準本体にその能力範囲以外の荷重が加わると、顕微鏡は自然降下して標本に焦点を合わせることができなくなる。
【０００７】
さらに前記顕微鏡の重心位置は焦準本体の焦準移動軸と同軸ではないため、焦準本体のガイド部には、移動軸方向の荷重以外にモーメントが付加される。前記顕微鏡の重心位置と重さが大きく異なりガイドの許容剛性を超えるモーメントが加わると、像ブレが生じ、快適な観察像を得ることができなくなる。
【０００８】
一方、ＵＳＰ４，５６５，４２７に示される付加的な伝動装置は、補助ハンドルを使用して一定量の高さを迅速に上下動させるものであり、焦準ハンドルの減速比を選択できるものではない。
【０００９】
これらは、いずれも顕微鏡焦準装置の専用化や別の焦準ハンドル装置を付加することによる対応であった。また、上記顕微鏡ホルダは、スライドアリによる嵌合によりスライド部材に挿入し固定するため、前記スライド部材に対して円滑に組付けるためには、高精度なスライドアリ加工を要する。
【００１０】
本発明の目的は、取付ける顕微鏡に対して幅広く安価に対応できる顕微鏡焦準装置を提供することにある。
【００１１】
【課題を解決するための手段】
課題を解決し目的を達成するために、本発明の顕微鏡焦準装置は以下の如く構成されている。
【００１２】
（１）本発明の顕微鏡焦準装置は、投光装置と、対物レンズと、鏡筒と、これら全てを保持するホルダと、直線的に上下動する焦準移動部を備えた焦準本体と、前記焦準移動部に形成され前記ホルダを固定するための取付け部と、を備え、前記ホルダは、前記投光装置を支持する第１の支持部を観察光軸の軸上に備えた第１のホルダ及び前記投光装置を支持する第２の支持部を前記観察光軸の軸外に備えた第２のホルダの一方を選択的に前記取付け部に取付け可能とし、かつ前記ホルダと前記焦準本体の間に弾性部材を備え、前記弾性部材は、前記ホルダに加わる荷重に応じて選択的に着脱可能とした。
【００１３】
（２）本発明の顕微鏡焦準装置は上記（１）に記載の装置であり、かつ前記ホルダと前記焦準移動部は、各々が取付け面を有し、前記各取付け面に対してそれぞれ垂直な各壁面同士による当て付けにより位置決めされ、組付けられる。
【００１４】
（３）本発明の顕微鏡焦準装置は上記（１）に記載の顕微鏡焦準装置であり、かつ前記焦準本体は、ガイド部と焦準ハンドル本体とに分離され、前記ガイド部を選択可能とした。
【００１５】
（４）本発明の顕微鏡焦準装置は上記（３）に記載の顕微鏡焦準装置であり、前記ガイド部と前記焦準ハンドル本体との間に中間ギヤ部を着脱可能に設けた。
【００１６】
（５）本発明の顕微鏡焦準装置は、投光装置と、対物レンズと、鏡筒と、これら全てを保持するホルダと、直線的に上下動する焦準移動部を備えた焦準本体と、前記焦準移動部に形成され前記ホルダを固定するための取付け部とを備え、前記ホルダは、前記投光装置を支持する第１の支持部を観察光軸の軸上に備えた第１のホルダ及び前記投光装置を支持する第２の支持部を前記観察光軸の軸外に備えた第２のホルダの一方を選択的に前記取付け部に取付け可能とし、前記焦準本体は、ガイド部と焦準ハンドル本体に分離され、前記ガイド部を選択可能とした。
本発明の顕微鏡焦準装置は、上記（５）に記載の顕微鏡焦準装置であり、前記ホルダと前記焦準移動部とは、各々が取付け面を有し、前記各取付け面に対してそれぞれ垂直な各壁面同士による当て付けにより位置決めされ、組付けられる。
本発明の顕微鏡焦準装置は、上記（５）に記載の顕微鏡焦準装置であり、前記ホルダと前記焦準本体の間に弾性部材を備え、前記弾性部材は、前記ホルダに加わる荷重に応じて選択的に着脱可能とした。
本発明の顕微鏡焦準装置は、上記（５）に記載の顕微鏡焦準装置であり、前記ガイド部と前記焦準ハンドル本体の間に中間ギヤ部を着脱可能に設けた。
【００１７】
上記手段を講じた結果、それぞれ以下のような作用を奏する。
【００１８】
（１）本発明の顕微鏡焦準装置によれば、ホルダをユニット化して焦準本体に容易に取付け、取外しをすることができるため、前記焦準本体を専用化またはコストアップすることなく、取付け形状の異なる投光装置を組付けることができる。また、前記ホルダの大きさ、長さを変化させることで、顕微鏡焦準装置をスタンドあるいは組付け装置に固定した状態のまま、光軸位置を要求に応じて変えることもでき、ホルダに重量バランスを保つための弾性部材を後付けユニットとして組付けることで、顕微鏡の重さが大きく異なる場合においても、焦準移動方向に加わる荷重をその能力にあった最適な荷重に調整することができる。
【００１９】
（２）本発明の顕微鏡焦準装置によれば、容易に位置決めが行なえ、また上述した従来のスライドアリ加工を必要とせず、安価に対応できる。
【００２０】
（３）本発明の顕微鏡焦準装置によれば、ガイド部を前記焦準ハンドル本体に対して着脱自在にすることで、顕微鏡の重さと重心位置が大きく異なる場合においても、ガイド部に加わるモーメントの大きさに応じて、剛性の異なるガイド部を選択して対応することができる。また、ガイド部はホルダと別体であるため、安価に製作できる。
【００２１】
（４）本発明の顕微鏡焦準装置によれば、ガイド部と焦準ハンドル本体の間に中間ギヤを後付けユニットとして組み込むことにより、焦準ハンドルの減速比を選択することができる。ガイド部と焦準ハンドル本体は別体で、独立しているため、容易な構造で安価に中間ギヤを挿入することができる。
【００２２】
（５）本発明の顕微鏡焦準装置によれば、ホルダをユニット化して焦準本体に容易に取付け、取外しをすることができるため、前記焦準本体を専用化またはコストアップすることなく、取付け形状の異なる投光装置を組付けることができる。また、前記ホルダの大きさ、長さを変化させることで、顕微鏡焦準装置をスタンドあるいは組付け装置に固定した状態のまま、光軸位置を要求に応じて変えることもでき、ガイド部を前記焦準ハンドル本体に対して着脱自在にすることで、顕微鏡の重さと重心位置が大きく異なる場合においても、ガイド部に加わるモーメントの大きさに応じて、剛性の異なるガイド部を選択して対応することができる。また、ガイド部はホルダと別体であるため、安価に製作できる。
（６）本発明の顕微鏡焦準装置によれば、容易に位置決めが行なえ、また上述した従来のスライドアリ加工を必要とせず、安価に対応できる。
（７）本発明の顕微鏡焦準装置によれば、ホルダに重量バランスを保つための弾性部材を後付けユニットとして組付けることで、顕微鏡の重さが大きく異なる場合においても、焦準移動方向に加わる荷重をその能力にあった最適な荷重に調整することができる。
（８）本発明の顕微鏡焦準装置によれば、ガイド部と焦準ハンドル本体の間に中間ギヤを後付けユニットとして組み込むことにより、焦準ハンドルの減速比を選択することができる。ガイド部と焦準ハンドル本体は別体で、独立しているため、容易な構造で安価に中間ギヤを挿入することができる。
【００２３】
【発明の実施の形態】
以下、本発明の実施の形態について図面を参照して説明する。
【００２４】
（第１の実施の形態）
図１、図２は本発明の第１の実施の形態に係る顕微鏡焦準装置の概略構成を示す図であり、図１は側面図、図２は正面図である。
【００２５】
この顕微鏡焦準装置は、顕微鏡１とこの顕微鏡１（例えば鏡筒部）を支持する顕微鏡ホルダ２０を上下動させ、標本７０に焦点を合わせる焦準本体１０を有する。焦準本体１０は、顕微鏡ホルダ２０を上下動操作させるための焦準ハンドル１６を有し、スタンド９０に設けられたポール９０ａに止め具１８で固定されている。
【００２６】
顕微鏡ホルダ２０の下面部には複数の対物レンズ５０を保持するレボルバ６０が取付けられている。対物レンズ５０を取付けるレボルバ６０は回転自在であり、このレボルバ６０を回転位置決めすることにより、所定の倍率の対物レンズ５０を光軸（観察光軸）Ｌ上に配置できるようになっている。
【００２７】
一方、顕微鏡ホルダ２０の上面部には、標本７０に照明光を投光するための投光装置４０が取付けられている。投光装置４０の端部にはランプ光源４２が設けられ、このランプ光源４２は電源ケーブル４４を介して電源部４５に接続されている。
【００２８】
ランプ光源４２から発した照明光は、投光装置４０内のハーフミラー４３によりその方向を下向きに変え、顕微鏡ホルダ２０、レボルバ６０、対物レンズ５０を介して、標本７０を照射するようになっている。標本７０の観察像は、対物レンズ５０を介して、投光装置４０の上部に取付けられた観察鏡筒８０に入射し、接眼レンズ８１を通して観察される。
【００２９】
図３は、焦準本体１０の上側から見た概略断面図及び顕微鏡ホルダ２０の取付け部形状を示す図である。
【００３０】
焦準移動部１１は、顕微鏡ホルダ２０を取付けるための取付け面１１ａとネジ穴１１ｂ，１１ｂ、及び取付けの位置決めをおこなう凹状の位置決め部１１ｃを有する。
【００３１】
焦準移動部１１の両側面部には、焦準本体枠１２のガイド溝１２ａ，１２ａに挟まれ、ガイド溝１２ａ，１２ａに添って移動可能な円筒状のコロ１３，１３と接する面１１ｄ，１１ｄが形成され、取付け面１１ａの反対側にはラック１１ｅが構成されている。
【００３２】
ラック１１ｅは、ハンドル回転軸部１４に設けられたピニオン１４ａと噛み合っており、ハンドル回転軸部１４におけるピニオン１４ａの回転に伴って、焦準移動部１１がガイド溝１２ａ，１２ａに添って直線的に上下動する。
【００３３】
ハンドル回転軸部１４は、ピニオン１４ａを形成しているピニオン軸１４ｂ、粗動回転軸１４ｃ、微動回転軸１４ｄ、及びピニオン軸１４ｂを支える回転支持枠１４ｅから構成され、回転支持枠１４ｅは焦準本体枠１２にビス１５，１５にて固定される。
【００３４】
一般的に公知であるため図示はしていないが、粗動回転軸１４ｃはピニオン軸１４ｂと連結しており、粗動回転軸１４ｃには粗動ハンドル１６ａが固定されている。また、微動回転軸１４ｄは減速ギヤを介してピニオン軸１４ｂと連結しており、微動回転軸１４ｄには微動ハンドル１６ｂが固定されている。
【００３５】
このような構成により、粗動ハンドル１６ａを回転させるとピニオン軸１４ｂが回転し、微動ハンドル１６ｂを回転させると減速ギヤを介して同様にピニオン軸１４ｂが回転するため、焦準移動部１１が前述のように上下動する。
【００３６】
粗動力量調整ハンドル１７は回転支持枠１４ｅにねじ込まれている。このハンドル１７を回転させてバネ１７ａを伸縮させることにより、粗動ハンドル１６ａ部を押付けるパッド１７ｂの力を変化させ、粗動ハンドル１６ａの力量を調整する。
【００３７】
粗動ハンドル１６ａの力量調整は、顕微鏡ホルダ２０，２１（図６参照）及び積載荷重に対する自然降下を防ぐためのものである。また、焦準本体１０は、スタンド９０（図１参照）に設けられたポール９０ａに取付けるための穴１２ｂ、止め具１８、及び板バネ１２ｃを備えている。止め具１８をねじ穴１２ｄにねじ込むことで、穴１２ｂに挿通されたポール９０ａに板バネ１２ｃを押付け、焦準本体１０を固定させる。
【００３８】
図４は顕微鏡ホルダ２０の概略側断面図、図５は顕微鏡ホルダ２０と焦準本体１０及び投光装置４０との組付け状態を示す図である。
【００３９】
顕微鏡ホルダ２０は焦準移動部１１に組付けるための取付け面２０ａ及び固定用穴２０ｂと、位置決めを行なうための位置決め部２０ｃを有する。
【００４０】
顕微鏡ホルダ２０と焦準本体１０の組付けは、焦準本体１０の焦準移動部１１に設けられた取付け面１１ａと顕微鏡ホルダ２０の取付け面２０ａとを接触させ、焦準移動部１１の各ネジ穴１１ｂと顕微鏡ホルダ２０の各固定用穴２０ｂを使用して四つの各ボルト２２（図５参照）で固定をする。
【００４１】
顕微鏡ホルダ２０の上下左右方向の取付け位層決めは、焦準移動部１１に設けられた取付け面１１ａに対して垂直な壁面１１ｃ１，１１ｃ２で構成される凹形状の位置決め部１１ｃに、顕微鏡ホルダ２０に設けられた取付け面２０ａに対して垂直な壁面２０ｃ１，２０ｃ２で構成される凸形状の位置決め部２０ｃを挿入して、当て付けることで行なう。
【００４２】
図４において、顕微鏡ホルダ２０の位置決め部２０ｃは取付け面２０ａに対して突出しているが、焦準移動部１１（図５参照）に設けられた位置決め部１１ｃを取付け面１１ａ対して突出させ、顕微鏡ホルダ２０の位置決め部２０ｃを取付け面２０ａに対して凹ませるよう構成することも可能である。
【００４３】
顕微鏡ホルダ２０の上面部には丸アリ固定式の投光装置４０を取付けるための丸メスアリ２０ｄが形成されている。この丸メスアリ２０ｄの中心によって定まる光軸Ｌの左右方向の位置は、顕微鏡ホルダ２０を焦準本体１０に組み付けた時に、焦準本体１０に設けられた左右のガイド溝１２ａ，１２ａ間の中心Ｃ（図３参照）と一致している。
【００４４】
投光装置４０は、投光装置４０に形成された丸オスアリ４０ａが顕微鏡ホルダ２０の丸メスアリ２０ｄに組付き、顕微鏡ホルダ２０に設けられたネジ穴２０ｅにクランプビス２０ｆをねじ込むことにより確実に位置決めされ、固定される。
【００４５】
顕微鏡ホルダ２０の下面部には、複数の対物レンズ５０を保持するレボルバ６０を取付けるためのスライドメスアリ２０ｇが形成されている。レボルバ６０の背面部に形成されたスライドオスアリ６０ａが顕微鏡ホルダ２０のスライドメスアリ２０ｇに挿入され、顕微鏡ホルダ２０下面部に設けられた突起２０ｈ（図４参照）により、丸メスアリ２０ｄによって定まる光軸Ｌ上にレボルバ６０が正確に位置決めされる。
【００４６】
また、顕微鏡ホルダ２０のスライドメスアリ２０ｇの側面部には、レボルバ６０を固定するためのネジ穴２０ｉが設けられており、このネジ穴２０ｉにクランプビス２０ｊをねじ込むことにより、レボルバ６０が確実に固定される。
【００４７】
図６は、上記第１の実施の形態の変形例に係る顕微鏡焦準装置における顕微鏡ホルダ２１と投光装置４１との組付け状態を示す図である。
【００４８】
この変形例では、上記投光装置４０に比ベて重いボルト固定式の投光装置４１を用いている。図６に示すように、投光装置４１を焦準本体１０（図５参照）に組付けるために、顕微鏡ホルダ２１は、投光装置４１を固定するための取付け面２１ａ，２１ａと複数のネジ穴２１ｂ、及び投光装置４１の位置決めを行なうための位置決め部２１ｃを有する。
【００４９】
位置決め部２１ｃは、投光装置４１の側面４１ａと接することで図６の前後方向の位置決めができる接触部２１ｄと、投光装置４１の底面部に設けられた壁面４１ｂと接触して左右方向の位置決めを行なう突起部２１ｅから構成されている。これにより、投光装置４１の光軸Ｌの位置は、焦準本体１０の左右のガイド溝１２ａ，１２ａ間の中心Ｃに対して所定の位置に設定することができる。
【００５０】
なお変形例として、突起部２１ｅを三角柱状とし、その斜面が接触部２１ｄの長手方向に対して４５°をなすよう構成することで、図６の右方向から顕微鏡ホルダ２１に導かれた投光装置４１は、突起部２１ｅにて接触部２１ｄ側に案内されて、位置決めされる。
【００５１】
投光装置４１の顕微鏡ホルダ２１ヘの組付けは、投光装置４１の四つの固定用ザグリ４１ｃと顕微鏡ホルダ２１の四つのネジ穴２１ｂとを用いて各ボルト２３により固定することで行なえ、位置決めは上記に示した構成とすることで容易に行なえる。
【００５２】
顕微鏡ホルダ２１の焦準本体１０ヘの取付けは図６に示されていないが、顕微鏡ホルダ２１の取付け部は上記顕微鏡ホルダ２０と同様の構造をなしており、その取付け方法は同一である。また、投光装置４１の底面部の光軸Ｌ部には、上記レボルバ６０が直接取付けられる。このため、図６には示されていないが、投光装置４１の底面部の光軸Ｌ部に、顕微鏡ホルダ２０と同様のスライドメスアリ、位置決め用突起、及びクランプビス用ネジ穴が形成され、これによりレボルバ６０が確実に固定されている。
【００５３】
以上のように本第１の実施の形態の顕微鏡焦準装置によれば、投光装置４０，４１を備えた顕微鏡を支持する顕微鏡ホルダ２０，２１を焦準本体１０に着脱することにより、顕微鏡の取付け形状に応じて焦準本体１０を専用化することなく、容易に組付けることができる。
【００５４】
このため、取付け形状の異なる顕微鏡においても、その形状に応じて顕微鏡ホルダ２０，２１を選択することで同一の顕微鏡焦準装置にて対応可能になるため、複数の顕微鏡焦準装置を所有する必要がなく、安価で対応でき、さらに、長さ及び大きさの異なる顕微鏡ホルダを選択することで、上記顕微鏡の光軸Ｌの位置を容易に変化させることもできる。
【００５５】
顕微鏡ホルダ２０は、前述したように光軸Ｌが焦準本体１０のガイド溝１２ａ，１２ａ間の中心Ｃと一致しているため、スペースを取らず、コンパクトな顕微鏡システムに適している。一方、顕微鏡ホルダ２１は顕微鏡を汎用性のある壁面で支持するため、幅広いシステムに対応できる。
【００５６】
焦準本体１０と顕微鏡ホルダ２０，２１は共に独立しており、焦準本体１０は取付ける顕微鏡の種類に関わらないため、焦準本体１０自体のコストアップは生じない。
【００５７】
また、顕微鏡ホルダ２０，２１の焦準本体１０ヘの組付けは、取付け面２０ａに対して垂直な壁面２０ｃ１，２０ｃ２を利用して行なうため、複雑な加工を必要とせず、容易で確実な位置決めができる。
【００５８】
（第２の実施の形態）
図７は、本発明の第２の実施の形態に係る顕微鏡焦準装置の構成を示す概略側断面図である。図７において図１〜図６と同一な部分には同符号を付してある。
【００５９】
この顕微鏡焦準装置は、焦準本体１０が背面に設けられた複数のネジ穴１２ｅを用いて支持台９１にボルト９２で固定されており、顕微鏡ホルダ２１は焦準本体１０の焦準移動部１１に取付けられている。
【００６０】
重量バランスバネユニット３０は、焦準本体１０の底面部に組付けて固定するベース３１と、圧縮コイルバネ３２の伸縮を案内するシャフト３３と、シャフト３３にねじ込まれバネ３２を覆い隠すカバー３４と、バネ３２を挿入しその伸縮によりべース３１に対して上下動可能な移動枠３５とを有する。また顕微鏡ホルダ２１は、重量バランスバネユニット３０を挿入するための穴２１ｆと、移動枠３５の先端に接した状態で移動枠３５と連動させるための移動枠受け２１ｇとを有する。移動枠受け２１ｇは、穴２１ｆの上端部に形成されたネジ部にねじ込み固定されている。移動枠受け２１ｇの下端面は、重量バランスバネユニット３０からのバランス力が作用するために移動枠３５が当接する当接部２１ｈとなっている。
【００６１】
移動枠３５の外径３５ａとカバー３４の内径３４ａは摺動可能な嵌合径になっており、移動枠内３５に挿入されたバネ３２の伸縮により、移動枠３５がカバー３４の内径３４ａに添って上下動する。
【００６２】
移動枠３５は、カバー３４の先端部に設けられた絞り３４ｂと移動枠３５の外径３５ａ端面により上方向の移動が制限され、移動枠３５の下端面とシャフト３３のネジ端面により下方向の移動が制限されており、移動枠３５の移動量を焦準本体１０に取付けられた顕微鏡ホルダ２１の上下移動量と一致させている。
【００６３】
また、移動枠３５の側面には、移動枠３５がスム−ズに上下動するための空気逃げ３５ｂが設けられている。
【００６４】
図８は、上記重量バランスバネユニット３０の外観図であり、図９は焦準本体１０の底面部での重量バランスバネユニット３０の取付け状態を表す図である。
【００６５】
図７、図８、図９で示されるように、重量バランスバネユニット３０のベース３１は、焦準本体１０に取付けるための取付け面３１ａ、ボルト固定用穴３１ｂ、及び位置決めを行なう位置決め部３１ｃ１，３１ｃ２を有し、焦準本体１０に設けられた取付け面１２ｆ、ネジ穴１２ｇ、及び位置決め部１２ｈ１，１２ｈ２を用いて、複数のボルト３６により容易に着脱ができる構成となっている。
【００６６】
このように、重量バランスバネユニット３０を顕微鏡ホルダ２１と焦準本体１０の間に組合わせることで、顕微鏡ホルダ２１には上方向の力が作用し、その結果、顕微鏡ホルダ２１と連結している焦準移動部１１（図５参照）に加わる下方向の力量を軽減することができ、重量バランスを保つことができる。
【００６７】
また、図８の重量バランスバネユニット３０は２つの摺動する移動枠３５により構成されているが、必要とする重量バランスに応じて１つあるいは３つ以上でも構わない。さらに、顕微鏡ホルダ２０にも上記同様に移動枠受け２１ｇと穴２１ｆを設けることで、重量バランスバネユニット３０を組付けることができる。
【００６８】
以上のように本第２の実施の形態の顕微鏡焦準装置によれば、重量バランスバネユニット３０を顕微鏡ホルダ２０，２１と焦準本体１０に対して着脱自在に組付けることができるため、顕微鏡ホルダ２０，２１に積載される荷重（顕微鏡の重さ）に応じて力量の異なる重量バランスバネユニット３０を選択して取付け、上記第１の実施の形態で述べた焦準機構によって規定される焦準本体１０の許容荷重範囲内に調整することができる。このため、従来のように顕微鏡焦準装置の焦準本体１０を積載荷重に応じて専用化することなく、安価に顕微鏡システムを構築することができる。
【００６９】
（第３の実施の形態）
図１０は、本発明の第３の実施の形態に係る顕微鏡焦準装置の概略構成を示す図である。図１０において図１〜図９と同一な部分には同符号を付してある。
【００７０】
この顕微鏡焦準装置は、図１等に示した顕微鏡１と、この顕微鏡１を支持する顕微鏡ホルダ２０（または２１）を上下動させ、標本７０に焦点を合わせる焦準ハンドル本体１００及びガイド部２００（または２０１）を有する。焦準ハンドル本体１００とガイド部２００（または２０１）は、後述するように一体化されることで、上記焦準本体１０と同じ構成をなす。なお、ガイド部２００と２０１は、後述するように形状、寸法が異なる以外は同じ構成をなす。
【００７１】
焦準ハンドル本体１００は、焦準ハンドル枠１２０、ハンドル回転軸部１４、焦準ハンドル１６を有する。焦準ハンドル枠１２０は、ガイド部２００（または２０１）を取付けるための取り付け面１２１、取り付け面１２１と直交する壁面からなる位置決め部１２２、１２３、及び四つのザグリ穴１２４を有する。
【００７２】
図１１は、ガイド部２００（または２０１）の構造を示す上側から見た概略断面図であり、図１２はガイド部２００（または２０１）の背面からみた外観図である。
【００７３】
ガイド部２００（または２０１）は、顕微鏡ホルダ２０（または２１）を支持して上下動する焦準移動部１１と、この焦準移動部１１を保持し案内するガイド枠２１０から構成されている。焦準移動部１１の前面には、上記第１実施倒と同様に顕微鏡ホルダ２０（または２１）を取付けるための取付け面１１ａ、位置決め部１１ｃ、ネジ穴１１ｂを有し、背面には、ラック２３０とストッパビス２３１が取付けられている。ラック２３０は、焦準移動部１１に設けられた溝部２３２に当て付いて位置決めされ、ビス２３５にて焦準移動部１１に固定されている。
【００７４】
一方、ストッパビス２３１、２３１は、上下の位置関係をなして焦準移動部１１にねじ込まれている。焦準移動部１１は上記第１の実施の形態と同様に、焦準ハンドル１６のピニオン１４ａの回転がラック２３０に伝わることで、上下方向に移動する。ストッパビス２３１、２３１は焦準移動部１１に連動して作動し、ガイド枠２１０の上方または下方の壁面２１１、２１２に突き当たることで、焦準移動部１１の移動ストロークを制限している。ガイド枠２１０の移動ストロークは、ストッパビス２３１、２３１の位置及びラック２３０長さを変えることにより、変更できる。すなわち、焦準ハンドル本体１００を変更することなく、ガイド部２００の変更のみで、ガイド枠２１０の移動ストロークを容易に変えることができる。
【００７５】
ガイド枠２１０は、ガイド本体枠２１３と片ガイド枠２１４から構成され、いずれも円筒状のコロ１３またはボールにより焦準移動部１１を摺動させるためのガイド溝１２ａを形成している。また、片ガイド枠２１４はガイド本体枠２１３にボルト２１５で固定されており、予圧調整されてガイド枠２１０が組立てられる。
【００７６】
ガイド本体枠２１３には、ラック２３０の移動を確保するための長溝２１６が設けられ、長溝２１６の上下端面は、焦準移動部１１の移動ストロークをストッパビス２３１、２３１によって制限するための壁面２１１、２１２を有している。また、ガイド本体枠２１３の背面には、取り付け面２１９、三つの位置決めピン２２０、及び複数（八つ）のネジ穴２２１を有している。
【００７７】
図１２では焦準移動部１１の移動を制限する壁面２１１、２１２が長溝２１６と共用されているが、上記長溝２１６とは別の長溝を形成し、その長溝に壁面２１１、２１２を設けてもよい。この場合、ストッパビス２３１、２３１は、前記別の長溝内で上下方向に移動し、その長溝の上方または下方の壁面２１１、２１２に突き当たるよう、焦準移動部１１にねじ込まれる。また、前記別の長溝を形成した場合は、一つのストッパビス２３１が壁面２１１、２１２の双方に突き当たるよう構成してもよい。
【００７８】
以下、ガイド部２００（または２０１）と焦準ハンドル本体１００の取り付け方法を説明する。ガイド部２００（または２０１）背面の取り付け面２１９を焦準ハンドル本体１００の取り付け面１２１に当て付け、焦準ハンドル枠１２０に設けられたザグリ穴１２４を介して、ボルト１２５により固定する。位置決めは、ガイド部２００（または２０１）の各位置決めピン２２０の側部を焦準ハンドル枠１２０の位置決め部１２２、１２３の壁面に突き当てることで、容易かつ確実に行なうことができる。
【００７９】
取付けるガイド部２００（または２０１）の剛性は、ガイド溝１２ａの肉厚２２２、ガイド枠２１０の形状・寸法２２３(肉厚)、予圧力量、ガイドの方式(コロ、ボール)、及び材質等のさまざまな要因に応じて変化させる。特に、ガイド溝１２ａの肉厚２２２及びガイド枠２１０の形状・寸法２２３(肉厚)を大きくすることは剛性の向上に効果がある。なお、図１０に示すように、ガイド溝１２ａの肉厚２２２とガイド枠２１０の寸法２２３は、ガイド部２００よりガイド部２０１の方が小さくなっている。
【００８０】
このように、剛性が高く大きいガイド部２００と、剛性は高くないが安価でコンパクトなガイド部２０１とを選択して焦準ハンドル本体１００に取り付けることができるため、顕微鏡焦準装置としてユーザーの要求に幅広く対応できる。
【００８１】
以上のように本第３の実施の形態の顕微鏡焦準装置によれば、ガイド部２００、２０１を焦準ハンドル本体１００に対して着脱自在にすることにより、剛性の異なるガイド部２００、２０１を選択して焦準ハンドル本体１００に組付けることができる。
【００８２】
上記第１の実施の形態に示した顕微鏡ホルダ２０は、積載する顕微鏡の重さが軽く、重心位置が焦準移動部１１の移動軸２２４に対して比較的近距離にある。この顕微鏡ホルダ２０に発生するモーメントは小さいため、ガイド部には高い剛性を必要としない。一方、上記第１の実施の形態に示した顕微鏡ホルダ２１は、積載する顕微鏡の重さが重く、重心位置が焦準移動部１１の移動軸２２４に対して遠距離にある。この顕微鏡ホルダ２１には大きなモーメントが発生するため、ガイド部にはそのモーメントを許容できる高い剛性を必要とする。
【００８３】
このように、顕微鏡焦準装置に対して顕微鏡ホルダの重心位置は各々異なる。その対応として、顕微鏡ホルダに応じて重量バランスバネユニット３０を用意し、重心位置に当接させて配置し、上記モーメントの発生を防止することは、システム上困難である。
【００８４】
以上のようなことから、ガイド部２００、２０１を焦準ハンドル本体１００に対して着脱自在にして、剛性の異なるガイド部２００、２０１を選択可能とすることにより、積載する顕微鏡により重さと重心位置が大きく異なる場合においても、専用の焦準本体１０を用意することなく安価に対応できる。
【００８５】
（第４の実施の形態）
図１３は、本発明の第４の実施の形態に係る顕微鏡焦準装置の概略構成を示す図であり、図１４は、ガイド部２００（または２０１）と中間ギヤユニット３００の構造を示す上側から見た概略断面図である。図１３，図１４において図１〜図１２と同一な部分には同符号を付してある。なお、図１３は図１０と異なり、焦準ハンドル本体１００の背面側から見た図である。
【００８６】
この顕微鏡焦準装置は、上記第３の実施の形態に示した顕微鏡焦準装置の焦準ハンドル本体１００とガイド部２００（または２０１）の間に中間ギヤユニット３００が組付けられている。
【００８７】
中間ギヤユニット３００は、大歯車３１１と小歯車３１２からなる中間ギヤ３１０、ギヤ軸３１３、及び軸受け３１７から構成されている。ギヤ軸３１３は一端がビス３１５にて保持枠３３０に固定され、他端がビス３１６にて軸受け３１７と連結されている。中間ギヤ３１０はギヤ軸３１３の軸３１８に対して回転可能に保持され、端面３１９、３２０によって左右方向の位置が制限されている。
【００８８】
ギヤ軸３１３と連結している軸受け３１７はビス３１５にて保持枠３３０に固定されている。ギヤ軸３１３は、焦準ハンドル１６のピニオン１４ａの回転が中間ギヤ３１０を介してガイド部２００（または２０１）のラック２３０に伝わるように配置されている。
【００８９】
また、中間ギヤユニット３００を挿入しない場合においても、上記ピニオン１４ａの回転がラック２３０に伝わるように、取り付け面３３１からピニオン１４ａの歯部までの距離３３２と、取り付け面３３３からラック２３０の歯部までの距離３３４を一致させている。
【００９０】
以下、図１３を基に中間ギヤユニット３００と焦準ハンドル本体１００とガイド部２００（または２０１）の取り付け方法を説明する。中間ギヤユニット３００の保持枠３３０は、取り付け面３３１、３３３、位置決め部３３４、３３５、三つの位置決めピン３３６、四つのビス穴３３７、及び四つのザグリ穴３３８を有する。
【００９１】
ガイド部２００（または２０１）に中間ギヤユニット３００を取付ける際には、ガイド部２００（または２０１）の位置決め各ピン２２０をそれぞれ位置決め部３３４、３３４、３３５に突き当てて位置決めし、ガイド部２００（または２０１）の取り付け面２１９に取り付け面３３３を接触させ、ザグリ穴３３８を介してボルト３３９により固定する。
【００９２】
一方、焦準ハンドル本体１００に中間ギヤユニット３００を組付ける際には、ガイド部２００（または２０１）の取り付け方法と同様に、中間ギヤユニット３００の各位置決めピン３３６の側部を位置決め部１２２、１２３の壁面に突き当てて位置決めする。そして、取り付け面３３１を焦準ハンドル本体１００の取り付け面１２１に接触させ、焦準ハンドル本体１００に設けられたサグリ穴１２４を介して、ボルト３４０により固定する。
【００９３】
以上のように本第４の実施の形態の顕微鏡焦準装置によれば、焦準ハンドル本体１００とガイド部２００（または２０１）の間に中間ギヤユニット３００を着脱自在とすることにより、中間ギヤユニット３００を変更することで、焦準ハンドル１６の１回転当たりの焦準移動部１１の移動量を容易に変化させることができる。また中間ギヤユニット３００は、保持枠３３０と中間ギヤ３１０を備えた簡易な構成をなすため、安価に製作できる。
【００９４】
図１５の（ａ）は、上記各実施の形態に示した顕微鏡焦準装置を各種装置に適用した構成を示す側面図、図１５の（ｂ）は概略平断面図である。図１５の（ａ），図１５の（ｂ）において図１と同一な部分には同符号を付してある。焦準本体１０の背面１０１には、複数のネジ穴１２ｅが設けられており、装置４００の支持部４００ａにも複数のネジ穴４０１が設けられている。また、焦準本体１０を装置４００に装着する際に用いる止め板５００には、ネジ穴１２ｅとネジ穴４０１にそれぞれ適合する複数の穴５０１と穴５０２が設けられている。
【００９５】
焦準本体１０を装置４００に装着する場合、まず止め板５００を焦準本体１０の背面１０１に接触させ、焦準本体１０の各ネジ穴１２ｅと止め板５００の各穴５０１を用いて、各ボルト５０３で固定をする。次に、止め板５００を装置４００の支持部４００ａに接触させ、装置４００の各ネジ穴４０１と止め板５００の各穴５０２を用いて、各ボルト５０４で固定をする。
【００９６】
このように、止め板５００を介してネジ穴とボルトを用いることにより、焦準本体１０を装置などの相手部品に直接組付けて使用することができる。なお、焦準本体１０を組付ける装置としては、ウエハや液晶基板などの検査装置や観察装置が適用可能である。
【００９７】
本発明の顕微鏡焦準装置によれば、以下のような作用効果を奏する。
【００９８】
本発明の顕微鏡焦準装置によれば、投光装置を備えた顕微鏡を支持し、前記顕微鏡を上下動させて標本に焦点を合わせるための焦準本体を備えた顕微鏡焦準装置において、前記顕微鏡を支持するためのホルダをユニット化して前記焦準本体に容易に取付け、取外しをすることができるため、前記焦準本体を専用化またはコストアップすることなく、取付け形状の異なる顕微鏡を組付けることができる。また、前記ホルダの大きさ、長さを変化させることで、顕微鏡焦準装置をスタンドあるいは組付け装置に固定した状態のまま、顕微鏡の光軸位置を要求に応じて変えることもできる。
【００９９】
また、顕微鏡を支持するホルダを着脱自在に焦準本体に取付けることにより、前記顕微鏡の取付け方法が異なる場合においても、取付け可能な形状のホルダを選択することで、前記顕微鏡を前記焦準本体に組付けることができる。
【０１００】
本発明の顕微鏡焦準装置によれば、ホルダの焦準移動部への組付けは、各々の取付け面に対して垂直な壁面を利用することで、容易に位置決めが行なえ、また上述した従来のスライドアリ加工を必要とせず、安価に対応できる。
【０１０１】
本発明の顕微鏡焦準装置によれば、ホルダに重量バランスを保つための弾性部材を後付けユニットとして組付けることで、顕微鏡の重さが大きく異なる場合においても、焦準移動方向に加わる荷重をその能力にあった最適な荷重に調整することができる。
【０１０２】
本発明の顕微鏡焦準装置によれば、ガイド部を前記焦準ハンドル本体に対して着脱自在にすることで、顕微鏡の重さと重心位置が大きく異なる場合においても、ガイド部に加わるモーメントの大きさに応じて、剛性の異なるガイド部を選択して対応することができる。また、ガイド部はホルダと別体であるため、安価に製作できる。
【０１０３】
本発明の顕微鏡焦準装置によれば、ガイド部と焦準ハンドル本体の間に中間ギヤを後付けユニットとして組み込むことにより、焦準ハンドルの減速比を選択することができる。ガイド部と焦準ハンドル本体は別体で、独立しているため、容易な構造で安価に中間ギヤを挿入することができる。
【０１０４】
本発明の顕微鏡焦準装置によれば、投光装置を備えた顕微鏡を支持し、前記顕微鏡を上下動させて標本に焦点を合わせるための焦準本体を備えた顕微鏡焦準装置において、前記顕微鏡を支持するためのホルダをユニット化して前記焦準本体に容易に取付け、取外しをすることができるため、前記焦準本体を専用化またはコストアップすることなく、取付け形状の異なる顕微鏡を組付けることができる。また、前記ホルダの大きさ、長さを変化させることで、顕微鏡焦準装置をスタンドあるいは組付け装置に固定した状態のまま、顕微鏡の光軸位置を要求に応じて変えることもできる。
【０１０５】
また、本発明の顕微鏡焦準装置によれば、ホルダの焦準移動部ヘの組付けに際し、各々の取付け面に対して垂直な壁面を利用して位置決めをするため、複雑な加工を必要とせず安価で、かつ容易で確実な取付けを行なうことができる。さらに前記ホルダは、顕微鏡をコンパクトに支持できる丸アリ支持形状と汎用性のある壁面支持形状とを選択できるため、システム性が向上し、ユーザーの要求に幅広く対応できる。
【０１０６】
また、本発明の顕微鏡焦準装置によれば、重量バランスを保つために、力量の異なる弾性部材を選択し、後付けユニットとしてホルダと焦準本体に組付けることで、前記焦準本体に加わる荷重を許容範囲内に調整することができるため、顕微鏡の種類やユニットの付属による積載荷重の変化に対しても、それに適した焦準本体を用意する必要がなく、安価に対応することができる。
【０１０７】
また、本発明の顕微鏡焦準装置によれば、焦準ハンドル本体とガイド部を着脱可能とすることで、異なる剛性のガイド部を容易に選択できるため、顕微鏡の重さと重心位置の変化に対して、専用の焦準本体を用意することなく、安価に幅広いシステムに対応できる。また、ガイド部は単体で独立しているため、移動ストロークの変更は、焦準ハンドル本体を変えることなく安価に容易に対応できる。さらに、ガイド部は顕微鏡ホルダに対して着脱自在であるため、顕微鏡ホルダを変えずに、ガイド部のみを交換することができるため、ガイド部の変更を安価に行なえる。
【０１０８】
また、本発明の顕微鏡焦準装置によれば、焦準ハンドル本体とガイド部の間に中間ギヤユニットを後付けユニットとして選択して組み付けることで、専属化した焦準本体を用意することなく、焦準ハンドル１回転当たりの移動量の変更を安価に行なえる。
【０１０９】
以上のように本発明によれば、標本を照明する投光装置を備えた顕微鏡の取付け形状に対して幅広く安価に対応できる顕微鏡焦準装置を提供できる。また本発明によれば、標本を照明する投光装置を備えた顕微鏡の重さと重心位置に対して幅広く安価に対応できる顕微鏡焦準装置を提供できる。また本発明によれば、標本を照明する投光装置を備えた顕微鏡の焦準ハンドルの減速比を容易かつ安価に選択できる顕微鏡焦準装置を提供できる。すなわち本発明によれば、取付ける顕微鏡に対して幅広く安価に対応できる顕微鏡焦準装置を提供できる。
【０１１０】
本発明は、以下の構成を有する。
【０１１１】
［１］．投光装置と、対物レンズと、鏡筒と、これら全てを保持するホルダと、直線的に上下動する焦準移動部を備えた焦準本体と、前記焦準移動部に形成され前記ホルダを固定するための取付け部と、備え、
前記ホルダは、前記投光装置を支持する第１の支持部を観察光軸の軸上に備えた第１のホルダ及び前記投光装置を支持する第２の支持部を前記観察光軸の軸外に備えた第２のホルダの一方を選択的に前記取付け部に取付け可能とした顕微鏡焦準装置。
【０１１２】
［２］．前記第１の支持部は、前記投光装置を丸アリで支持する上記［１］に記載の顕微鏡焦準装置。
【０１１３】
［３］．複数の前記対物レンズを切替え可能に保持するレボルバを更に備え、前記第１のホルダは、前記レボルバを取付けるアリを前記観察光軸の軸上に有する上記［２］に記載の顕微鏡焦準装置。
【０１１４】
［４］．前記第２の支持部は、前記焦準本体を四つのボルトで支持する上記［１］に記載の顕微鏡焦準装置。
【０１１５】
［５］．前記投光装置に、複数の前記対物レンズを切替え可能に保持するレボルバが取付けられた上記［４］に記載の顕微鏡焦準装置。
【０１１６】
［６］．前記ホルダと前記焦準移動部は、各々が取付け面を有し、前記各取付け面に対してそれぞれ垂直な各壁面同士による当て付けにより位置決めされ、組付けられる上記［１］に記載の顕微鏡焦準装置。
【０１１７】
［７］．前記ホルダと前記焦準本体の間に弾性部材を備え、
前記弾性部材は、前記ホルダにかかる荷重に応じて選択的に着脱可能とした上記［１］に記載の顕微鏡焦準装置。
【０１１８】
［８］．固定部と、上下可動部と、この上下可動部を上方向に付勢する弾性部材とを有し、前記固定部が前記焦準本体に着脱自在に固定される重量バランス部を備えるとともに、
前記ホルダは、前記重量バランス部の前記上下可動部に当接して前記上方向の付勢力の作用を受ける当接部を更に備え、
前記顕微鏡の種類に応じて前記弾性部材の付勢力を選択可能とする上記［７］に記載の顕微鏡焦準装置。
【０１１９】
［９］．前記重量バランス部は、前記固定部に対する前記上下可動部の移動範囲を規定するストッパを更に備えている上記［８］に記載の顕微鏡焦準装置。
【０１２０】
［１０］．前記焦準本体は、ガイド部と焦準ハンドル本体に分離され、
前記ガイド部を選択可能とした上記［１］に記載の顕微鏡焦準装置。
【０１２１】
［１１］．前記ガイド部は、前記焦準移動部と前記焦準移動部の枠とから構成され、
前記焦準ハンドル本体は、焦準ハンドルと前記焦準ハンドルの枠とから構成される上記［１０］に記載の顕微鏡焦準装置。
【０１２２】
［１２］．前記ガイド部と前記焦準ハンドル本体の間に中間ギヤ部を着脱可能に設けた上記［１０］に記載の顕微鏡焦準装置。
【０１２３】
［１３］．投光装置と、対物レンズと、鏡筒と、これら全てを保持するホルダと、直線的に上下動する焦準移動部を備えた焦準本体と、前記焦準移動部に形成された取付け部と、を備え、
前記ホルダは、前記取付け部に着脱可能に取付けられて固定され、前記投光装置の種類に応じて交換可能である顕微鏡焦準装置。
【０１２４】
［１４］．上記［１］に記載の顕微鏡焦準装置を有する顕微鏡。
【０１２５】
なお、本発明は上記各実施の形態のみに限定されず、要旨を変更しない範囲で適宜変形して実施できる。
【０１２６】
【発明の効果】
本発明によれば、取付ける顕微鏡に対して幅広く安価に対応できる顕微鏡焦準装置を提供できる。
【図面の簡単な説明】
【図１】本発明の実施の形態に係る顕微鏡焦準装置の概略構成を示す側面図。
【図２】本発明の実施の形態に係る顕微鏡焦準装置の概略構成を示す正面図。
【図３】本発明の実施の形態に係る焦準本体の上側から見た概略断面図及び顕微鏡ホルダの取付け部形状を示す図。
【図４】本発明の実施の形態に係る顕微鏡ホルダの概略側断面図。
【図５】本発明の実施の形態に係る顕微鏡ホルダと焦準本体及び投光装置との組付け状態を示す図。
【図６】本発明の実施の形態の変形例に係る顕微鏡焦準装置における顕微鏡ホルダと投光装置との組付け状態を示す図。
【図７】本発明の実施の形態に係る顕微鏡焦準装置の構成を示す概略側断面図。
【図８】本発明の実施の形態に係る重量バランスバネユニットの外観図。
【図９】本発明の実施の形態に係る焦準本体の底面部での重量バランスバネユニットの取付け状態を表す図。
【図１０】本発明の実施の形態に係る顕微鏡焦準装置の概略構成を示す図。
【図１１】本発明の実施の形態に係るガイド部の構造を示す上側から見た概略断面図。
【図１２】本発明の実施の形態に係るガイド部の背面からみた外観図。
【図１３】本発明の実施の形態に係る顕微鏡焦準装置の概略構成を示す図。
【図１４】本発明の実施の形態に係るガイド部と中間ギヤユニットの構造を示す上側から見た概略断面図。
【図１５】本発明の実施の形態に示した顕微鏡焦準装置を各種装置に適用した構成を示す側面図と概略平断面図。
【符号の説明】
１…顕微鏡
１０…焦準本体
１１…焦準移動部
１１ａ…取付け面
１１ｂ…ネジ穴
１１ｃ…位置決め部
１１ｃ１，１１ｃ２…壁面
１１ｄ…面
１１ｅ…ラック
１２…焦準本体枠
１２ａ…ガイド溝
１２ｂ…穴
１２ｃ…板バネ
１２ｄ…ねじ穴
１２ｅ…ネジ穴
１２ｆ…取付け面
１２ｇ…ネジ穴
１２ｈ１，１２ｈ２…位置決め部
１３…コロ
１４…ハンドル回転軸部
１４ａ…ピニオン
１４ｂ…ピニオン軸
１４ｃ…粗動回転軸
１４ｄ…微動回転軸
１４ｅ…回転支持枠
１５…ビス
１６…焦準ハンドル
１６ａ…粗動ハンドル
１６ｂ…微動ハンドル
１７ａ…バネ
１７ｂ…パッド
１７…粗動力量調整ハンドル
１７ａ…バネ
１７ｂ…パッド
１８…止め具
２０…顕微鏡ホルダ
２０ａ…取付け面
２０ｂ…固定用穴
２０ｃ…位置決め部
２０ｃ１，２０ｃ２…壁面
２０ｄ…丸メスアリ
２０ｅ…ネジ穴
２０ｆ…クランプビス
２０ｇ…スライドメスアリ
２０ｈ…突起
２０ｉ…ネジ穴
２０ｊ…クランプビス
２１…顕微鏡ホルダ
２１ａ…取付け面
２１ｂ…ネジ穴
２１ｃ…位置決め部
２１ｄ…接触部
２１ｅ…突起部
２１ｆ…穴
２１ｇ…移動枠受け
２１ｈ…当接部
２２…ボルト
２３…ボルト
３０…重量バランスバネユニット
３１…ベース
３１ａ…取付け面
３１ｂ…ボルト固定用穴
３１ｃ１，３１ｃ２…位置決め部
３２…バネ
３３…シャフト
３４…カバー
３４ａ…内径
３４ｂ…絞り
３５…移動枠
３５ａ…外径
４０…投光装置
４１…投光装置
４１ａ…側面
４１ｂ…壁面
４１ｃ…固定用ザグリ
４２…ランプ光源
４３…ハーフミラー
４４…電源ケーブル
４５…電源部
５０…対物レンズ
６０…レボルバ
７０…標本
８０…観察鏡筒
８１…接眼レンズ
９０…スタンド
９０ａ…ポール
９１…支持台
９２…ボルト
１００…ハンドル本体１００
１２０…焦準ハンドル枠
１２１…取り付け面
１２２，１２３…位置決め部
１２４…ザグリ穴
２００，２０１…ガイド部
２１０…ガイド枠
２１１，２１２…壁面
２１３…ガイド本体枠
２１４…片ガイド枠
２１５…ボルト
２１６…長溝
２２０…ピン
２２１…ネジ穴
２２２，２２３…肉厚
２２４…移動軸
２３０…ラック
２３１…ストッパビス
２３２…溝部
３００…中間ギヤユニット
３１０…中間ギヤ
３１１…大歯車
３１２…小歯車
３１３…ギヤ軸
３１５…ビス
３１６…ビス
３１７…軸受け
３１８…軸
３１９，３２０…端面
３３０…保持枠
３３１，３３３…取り付け面
３３４，３３５…位置決め部
３３６…位置決めピン
３３７…ビス穴
３３８…ザグリ穴
３３９…ボルト
３４０…ボルト
４００…装置
４００ａ…支持部
４０１…ネジ穴
５００…止め板
５０１，５０２…穴
５０３，５０４…ボルト
【図１】
0004847649.tif 000002
【図２】
0004847649.tif 000003
【図３】
0004847649.tif 000004
【図４】
0004847649.tif 000005
【図５】
0004847649.tif 000006
【図６】
0004847649.tif 000007
【図７】
0004847649.tif 000008
【図８】
0004847649.tif 000009
【図９】
0004847649.tif 000010
【図１０】
0004847649.tif 000011
【図１１】
0004847649.tif 000012
【図１２】
0004847649.tif 000013
【図１３】
0004847649.tif 000014
【図１４】
0004847649.tif 000015
【図１５】
0004847649.tif 000016